(57)【要約】  多色の第１の光を出力する第１の光出力装置と、多色の第２の光を出力する第２の光出力装置であって、第１の光出力装置及び第２の光出力装置が、（ｉ）第１の光が第１の生物学的物質から散乱された場合に、第１の知覚色が結果として生じ、第２の光が第１の生物学的物質から散乱された場合に、第２の知覚色が結果として生じ、第１の知覚色及び第２の知覚色が、同じであり、（ｉｉ）第１の光が第２の生物学的物質から散乱された場合に、第３の知覚色が結果として生じ、第２の光が第２の生物学的物質から散乱された場合に、第４の知覚色が結果として生じ、第３の知覚色及び第４の知覚色が異なるように選択される第２の光出力装置と、光出力における第１の光の量及び第２の光の量を時間的に変調するための手段と、を含む照明システム。
2014519154.tif 000002
【特許請求の範囲】
【請求項１】
第１の生物学的物質及び第２の生物学的物質を照明するための照明システムにおいて、
多色の第１の光を出力できる第１の光出力装置と、
多色の第２の光を出力できる第２の光出力装置であって、前記第１の光出力装置及び前記第２の光出力装置が、（ｉ）前記第１の光が前記第１の生物学的物質から散乱された場合に、第１の知覚色が結果として生じ、前記第２の光が前記第１の生物学的物質から散乱された場合に、第２の知覚色が結果として生じ、前記第１の知覚色及び前記第２の知覚色が、互いに実質的に同じであり、（ｉｉ）前記第１の光が前記第２の生物学的物質から散乱された場合に、第３の知覚色が結果として生じ、前記第２の光が前記第２の生物学的物質から散乱された場合に、第４の知覚色が結果として生じ、前記第３の知覚色及び前記第４の知覚色が、互いに実質的に異なるように選択される第２の光出力装置と、
前記システムからの光出力における前記第１の光の量及び前記第２の光の量を時間的に変調するための手段と、
を含むことを特徴とする照明システム。
【請求項２】
前記第１の光出力装置及び前記第２の光出力装置の少なくとも１つが、多色光源を含むことを特徴とする、請求項１に記載のシステム。
【請求項３】
前記第１の光出力装置及び前記第２の光出力装置が、共通の多色光源を含むことを特徴とする、請求項１に記載のシステム。
【請求項４】
前記第１の光出力装置及び前記第２の光出力装置の少なくとも１つが、単色光源を含むことを特徴とする、請求項１に記載のシステム。
【請求項５】
前記変調手段が、前記システムからの前記光出力における前記第１の光及び前記第２の光を交互に供給するように適合されることを特徴とする、請求項１に記載のシステム。
【請求項６】
前記第１の光及び前記第２の光の両方が同時に出力されるように、前記変調手段が、前記システムからの前記光出力における前記第１の光及び前記第２の光の量を変更するように適合されることを特徴とする、請求項１に記載のシステム。
【請求項７】
前記変調手段が、前記第１の光及び前記第２の光を形成するために、第１のフィルタ及び第２のフィルタを交互に配置するための電気機械コンポーネントを含むことを特徴とする、請求項１に記載のシステム。
【請求項８】
前記変調手段が、前記第１の光及び前記第２の光を形成するために、第１のフィルタ及び第２のフィルタを交互にイネーブルにするための電気コンポーネントを含むことを特徴とする、請求項１に記載のシステム。
【請求項９】
前記第１の光出力装置が第１の光源を含み、前記第２の光出力装置が第２の光源を含み、前記変調手段が、前記第１の光及び前記第２の光を変更するために、第１の光源からの出力及び第２の光源からの出力を変更するための電気コンポーネントを含むことを特徴とする、請求項１に記載のシステム。
【請求項１０】
前記第１の光出力装置及び前記第２の光出力装置の少なくとも１つが、少なくとも２つのＬＥＤを含むことを特徴とする、請求項１に記載のシステム。
【請求項１１】
第１の生物学的物質及び第２の生物学的物質を照明する方法において、
前記第１の生物学的物質及び前記第２の生物学的物質の両方に、Ａ）変調された多色の第１の光、及びＢ）変調された多色の第２の光を出力するステップを含み、
（ｉ）前記第１の生物学的物質による前記第１の光の散乱が、第１の知覚色を生じ、前記第１の生物学的物質による前記第２の光の散乱が、第２の知覚色を生じ、前記第１の知覚色及び前記第２の知覚色が、互いに実質的に同じであり、
（ｉｉ）前記第２の生物学的物質による前記第１の光の散乱が、第３の知覚色を生じ、前記第２の生物学的物質による前記第２の散乱が、第４の知覚色を生じ、前記第３の知覚色及び前記第４の知覚色が互いに実質的に異なることを特徴とする方法。
【請求項１２】
多色光源を用いて前記第１の光及び前記第２の光の少なくとも１つを生成するステップを更に含むことを特徴とする、請求項１１に記載の方法。
【請求項１３】
前記生成ステップが、前記第１の光及び前記第２の光を生成するために、前記多色光源を用いることを含むことを特徴とする、請求項１２に記載の方法。
【請求項１４】
単色光源を用いて前記第１の光及び前記第２の光の少なくとも１つを生成することを更に含むことを特徴とする、請求項１１に記載の方法。
【請求項１５】
前記出力ステップが、前記第１の生物学的物質及び前記第２の生物学的物質の両方に前記第１の光及び前記第２の光を交互に出力することを含むことを特徴とする、請求項１１に記載の方法。
【請求項１６】
前記第１の光及び前記第２の光が、前記第１の生物学的物質及び前記第２の生物学的物質に同時に投射されるように、前記出力ステップが、前記第１の光の量及び前記第２の光の量を変調することを含むことを特徴とする、請求項１１に記載の方法。
【請求項１７】
前記出力ステップが、前記第１の光及び前記第２の光を形成するために、光源からの光に第１のフィルタ及び第２のフィルタを交互に配置することを含むことを特徴とする、請求項１１に記載の方法。
【請求項１８】
前記出力ステップが、前記第１の光及び前記第２の光を形成するために、第１のフィルタ及び第２のフィルタをイネーブルにする電気コンポーネントを用いることを含むことを特徴とする、請求項１１に記載の方法。
【請求項１９】
前記出力ステップが、第１の光源からの光出力の量及び第２の光源からの光出力の量を変更することを含むことを特徴とする、請求項１１に記載の方法。
【発明の詳細な説明】
【技術分野】
【０００１】
本発明は、物質の照明に関し、特に、視覚的コントラストを実現するために色を用いた物質の照明に関する。
【背景技術】
【０００２】
光スペクトルは、通常、波長の関数としてプロットされた光の規模を示すチャートによって表される。例えば、スペクトルは、光出力装置のために、又は光が物質から散乱された後の、光出力装置からの光のために存在しても良い。
【０００３】
色は、光スペクトルに対する生理的反応である。色は、光の狭帯域スペクトル（例えば単色光）又はより広いスペクトルに対する反応から生じ得る。例えば、色は、光出力装置のスペクトルに対する反応（光が眼に直接入射する場合）又は光出力装置からの光が物質から散乱された後で結果として生じるスペクトルに対する反応（光が物質に入射した後で光が見られる場合）であり得る。
【０００４】
光スペクトルを見ることに反応した色の知覚は、スペクトルに反応する眼の３つの異なるタイプの円錐体の出力に対する脳の解釈に起因する。光スペクトルを見ることに反応して知覚される色は、通常、知覚色と呼ばれる。多くの異なるスペクトルが、円錐体から同じ出力を生じる可能性があるので、異なるスペクトルのいずれが眼に入射した場合でも、所与の色が知覚される可能性がある。
【０００５】
同じに見えるが、しかし異なるスペクトルに起因する色は、条件等色又は単にメタマーと呼ばれる。
【発明の概要】
【課題を解決するための手段】
【０００６】
条件等色は、例えば、第１の光及び第２の光が異なるスペクトル成分を有する場合に、第１の光及び第２の光を第１の物質から散乱させることによって達成することができる。第１の光によって照明されたときに第１の物質によって散乱される光のスペクトルが、第１の物質が第２の光によって照明されたときに結果として生じる知覚色と同じ知覚色を生じる場合に、第１の光を用いた第１の物質の照明及び第２の光を用いた照明は、条件等色を生じる。その結果、第１の物質は、２つのスペクトルのどちらが第１の物質を照明するかにかかわらず、同じ色を有するように見える。条件等色が、第１の光及び第２の光を用いた第１の物質の照明に起因する一方で、第１の光及び第２の光が、第２の物質（即ち、第１の物質と異なる反射率特性を有する第２の物質）から散乱された場合に、第２の物質は、２つの異なる色を有するように見え、色は、第１の光及び第２の光のどちらが、第２の物質を照明するために使用されるかに依存する。即ち、第１の光及び第２の光は、それらが第２の物質から散乱される場合には、条件等色を生じない。
【０００７】
本発明の態様によれば、条件等色が、第１の物質に対して意図的に達成され、第２の物質に対して達成されないように、第１の光及び第２の光が選択される。更に、フリッカ測光（例えば、第１の光及び第２の光の異なる量を物質に交互に投射する）は、第１の物質及び第２の物質の存在に対する観察者の感受性を向上させるために使用しても良い。例えば、幾つかの実施形態において、１５〜２０Ｈｚの速度、即ち、観察者が色の差に最も敏感になる傾向がある速度で光出力を変調することが適切である。手順の間に、時々、第１の物質及び第２の物質が、第１の光及び第２の光によって同時に照明されることが理解されよう。同時的な照明中に、物質の１つは、一定の色を有するように見え、もう一方の物質は、それが第１の光又は第２の光によって照明されるかどうかに依存して、色が変化するように見える。
【０００８】
幾つかの例において、条件等色が、所与の物質から反射された光に対して達成される場合に、幾らかのフリッカが、物質の反射率特性における空間的変動ゆえに発生し得る。例えば、物質が網膜組織である場合に、血管又はより大きな血流を有する組織の部分は、組織の他の部分とは異なる反射率特性をし得る。しかしながら、組織の大部分に対して、条件等色は達成される。
【０００９】
例えば、本発明の実施形態において使用される第１の光及び第２の光スペクトルは、第１の物質（即ち背景物質）及び第２の物質（即ち標的物質）の反射率スペクトルを検査すること、及び第１の物質から散乱される光に対して条件等色を達成するように第１の光及び／又は第２の光スペクトルを調整することによって、選択することができる。このように第１の光及び第２の光のペアにおけるスペクトルのリストが取得可能であり、ペアは、第１の物質を交互に照明した場合には同じ知覚色に、且つ第２の物質を交互に照明した場合には実質的な色差に帰着する。
【００１０】
本明細書で使用されるような用語「散乱」は、物質から拡散して反射される光を指す。
【００１１】
本発明の態様は、第１の生物学的物質及び第２の生物学的物質を照明するための照明システムであって、多色の第１の光を出力できる第１の光出力装置と、多色の第２の光を出力できる第２の光出力装置であって、第１の光出力装置及び第２の光出力装置が、（ｉ）第１の光が第１の生物学的物質から散乱された場合に、第１の知覚色が結果として生じ、第２の光が第１の生物学的物質から散乱された場合に、第２の知覚色が結果として生じ、第１の知覚色及び第２の知覚色が互いに実質的に同じであり、（ｉｉ）第１の光が第２の生物学的物質から散乱された場合に、第３の知覚色が結果として生じ、第２の光が第２の生物学的物質から散乱された場合に、第４の知覚色が結果として生じ、第３の知覚色及び第４の知覚色が互いに実質的に異なるように選択される第２の光出力装置と、システムからの光出力における第１の光の量及び第２の光の量を時間的に変調するための手段と、を含む照明システムに関する。
【００１２】
幾つかの実施形態において、第１の光出力装置及び第２の光出力装置の少なくとも１つは、多色光源を含む。第１の光出力装置及び第２の光出力装置は、共通の多色光源を含んでも良い。
【００１３】
幾つかの実施形態において、第１の光出力装置及び第２の光出力装置の少なくとも１つは、単色光源を含む。
【００１４】
幾つかの実施形態において、変調手段は、システムからの光出力における第１の光及び第２の光を交互に供給するように適合される。幾つかの実施形態において、変調手段は、第１の光及び第２の光の両方が同時に出力されるように、システムからの光出力における第１の光及び第２の光の量を変更するように適合される。
【００１５】
変調手段は、第１の光及び第２の光を形成するために、第１のフィルタ及び第２のフィルタを交互に配置するための電気機械コンポーネントを含んでも良い。変調手段は、第１の光及び第２の光を形成するために、第１のフィルタ及び第２のフィルタを交互にイネーブルにするための電気コンポーネントを含んでも良い。第１の光出力装置は、第１の光源を含んでも良く、第２の光出力装置は、第２の光源を含んでも良く、変調手段は、第１の光及び第２の光を変更するために、第１の光源からの出力及び第２の光源からの出力を変更するための電気コンポーネントを含んでも良い。
【００１６】
幾つかの実施形態において、第１の光出力装置及び第２の光出力装置の少なくとも１つは、少なくとも２つのＬＥＤを含む。
【００１７】
本発明の別の態様は、第１の生物学的物質及び第２の生物学的物質を照明する方法であって、第１の生物学的物質及び第２の生物学的物質の両方に、Ａ）変調された多色の第１の光及びＢ）変調された多色の第２の光を出力することを含み、（ｉ）第１の生物学的物質による第１の光の散乱が、第１の知覚色を生じ、第１の生物学的物質による第２の光の散乱が、第２の知覚色を生じ、第１の知覚色及び第２の知覚色が、互いに実質的に同じであり、（ｉｉ）第２の生物学的物質による第１の光の散乱が、第３の知覚色を生じ、第２の生物学的物質による第２の光の散乱が、第４の知覚色を生じ、第３の知覚色及び第４の知覚色が互いに実質的に異なる方法に関する。
【００１８】
方法は、多色光源を用いて、第１の光及び第２の光の少なくとも１つを生成することを含んでも良い。生成ステップは、第１の光及び第２の光を生成するために、多色光源を用いることを含んでも良い。
【００１９】
方法は、単色光源を用いて第１の光及び第２の光の少なくとも１つを生成することを含んでも良い。
【００２０】
出力ステップは、第１の生物学的物質及び第２の生物学的物質の両方に第１の光及び第２の光を交互に出力することを含んでも良い。出力ステップは、第１の光及び第２の光が、第１の生物学的物質及び第２の生物学的物質に同時に投射されるように、第１の光の量及び第２の光の量を変調することを含んでも良い。
【００２１】
出力ステップは、第１の光及び第２の光を形成するために、光源からの光に第１のフィルタ及び第２のフィルタを交互に配置することを含んでも良い。
【００２２】
出力ステップは、第１の光及び第２の光を形成するために、第１のフィルタ及び第２のフィルタをイネーブルにする電気コンポーネントを用いることを含んでも良い。
【００２３】
出力ステップは、第１の光源からの光出力の量及び第２の光源からの光出力の量を変更することを含む。
【００２４】
本発明の例示的で非限定的な実施形態は、添付の図面に関連する例として説明され、図面において、同じ照合番号は、異なる図の同じ又は類似のコンポーネントを示すために用いられる。
【図面の簡単な説明】
【００２５】
【図１Ａ】物質を照明するための、本発明の態様による照明システムのブロック図である。
【図１Ｂ】光Ｌ１及び光Ｌ２の振幅の変調を示す光信号の図的表現である。
【図１Ｃ】光Ｌ１及び光Ｌ２の振幅の変調を示す光信号の図的表現である。
【図２】本発明の態様による、物質を照明するための照明システムにおける実施形態例の概略図である。
【図３】本発明の態様による、物質を照明するための照明システムで使用する光出力を時間的に変調するための手段の例の概略図である。
【図４】本発明の態様による光出力装置、及び物質を照明するための照明システムで使用する光出力を時間的に変調するための手段の例の概略図である。
【図５】本発明の態様による光出力装置、及び物質を照明するための照明システムで使用する光出力を時間的に変調するための手段の例の概略図である。
【図６】本発明の態様による光出力装置、及び物質を照明するための照明システムで使用する光出力を時間的に変調するための手段の例の概略図である。
【発明を実施するための形態】
【００２６】
図１Ａは、第１の物質Ｓ１及び第２の物質Ｓ２を照明するための照明システム１００のブロック図である。照明システムは、第１の多色光Ｌ１を生成するための第１の光出力装置１１０、第２の多色光Ｌ２を生成するための第２の光出力装置１２０、並びにシステム１００からの光出力における第１の光Ｌ１の量及び第２の光Ｌ２の量を時間的に変調するための手段１３０を含む。
【００２７】
第１の光出力装置１１０は、少なくとも第１の波長の光及び第２の波長の光を含む第１の光Ｌ１を生成することができる。第１の光Ｌ１は、それが第１の生物学的物質Ｓ１から散乱された後で第１の知覚色を発生し、且つそれが第２の生物学的物質Ｓ２から散乱された後で第２の知覚色を発生することが理解されよう。
【００２８】
例えば、第１の光出力装置は、多色光源を含んでも良く、又は第１の光出力装置は、他方とは異なる色成分をそれぞれ供給する２つ以上の光源を含んでも良い。２つ以上の光源を有する実施形態において、２つ以上の光源の出力は、多色スペクトルを有する第１の光を生成するように組み合わされ、各光源は、単色又は多色とすることができる。例えば、単色光源を含む実施形態において、第１の光出力装置は、異なる色の光をそれぞれ供給する２つ以上のＬＥＤを含んでも良く、又は出力装置は、異なる色の光をそれぞれ供給する２つ以上のレーザを含んでも良い。例えば、フィルタリングされてもされなくても良い多色光源を含む実施形態において、第１の光出力装置は、１つ以上のガスアークランプ又は白熱電球を含んでも良い。
【００２９】
第２の光出力装置１２０は、第２の光Ｌ２を生成することができる。第２の光出力装置１２０は、本明細書で述べるように第１の光及び第２の光のための条件が満たされるならば、第１の光出力装置１１０に関連して上記で述べられたような任意の方法で構成されても良い。
【００３０】
上記の実施形態が、異なる光源から第１の光及び第２の光を形成するように説明されたが、第１の光及び第２の光が、単一の多色光源におけるスペクトルの一部を選択的にフィルタリングすることによって取得され得ることが理解されよう。
【００３１】
第１の光出力装置１１０及び第２の光出力装置１２０は、次のように選択される。即ち、（ｉ）第１の光Ｌ１が第１の物質Ｓ１から散乱されて眼Ｅによって観察された場合に、第１の知覚色が結果として得られ、且つ第２の光Ｌ２が第１の物質Ｓ１から散乱されて眼Ｅによって観察された場合に、第２の知覚色が結果として得られ、第１の知覚色及び第２の知覚色が、互いに実質的に同じであるように選択される。
【００３２】
更に、第１の光出力装置１１０及び第２の光出力装置１２０は、次のように選択される。即ち、（ｉｉ）第１の光Ｌ１が第２の物質Ｓ２から散乱された場合に、第３の知覚色が結果として得られ、且つ第２の光Ｌ２が第２の物質Ｓ２から散乱された場合に、第４の知覚色が結果として得られ、第３の知覚色及び第４の知覚色が、互いに実質的に異なるように選択される。第２の物質Ｓ２が、第１の光Ｌ１によって照明された場合に、第１の色を有するように見え、第２の光Ｌ２によって照明された場合に、第２の色を有するように見えるのに対して、第１の物質Ｓ１は、それが、第１の光Ｌ１又は第２の光Ｌ２によって照明されるかどうかにかかわらず、同じ色を有するように見えることが理解されよう。第１の知覚色及び第２の知覚色は、互いに同じ色相である（例えば赤色、黄色、緑色、青色、又はそれらの中間）。物質が第１の光及び第２の光によって交互に照明された場合に、見る人が一定の色として物質を見るように、第１の知覚色及び第２の知覚色が、同じ又は非常に似た値及び彩度を有することがまた有利である。典型的には、第３の知覚色及び第４の知覚色は、互いに異なる色相である。しかしながら、物質が第１の光及び第２の光によって交互に照明された場合に色のコントラストが眼に見えるように、第３の知覚色及び第４の知覚色は、それらが実質的に異なる値及び／又は彩度を有するならば、互いに同じ色相であっても良い。
【００３３】
システム１００からの光出力において第１の光Ｌ１及び第２の光Ｌ２の量を時間的に変調するための手段１３０は、出力において第１の光Ｌ１及び第２の光Ｌ２の相対量を変更する。典型的には、Ｌ１及びＬ２のピーク量が、異なる時間に発生する。例えば、Ｌ１及びＬ２は、位相がずれた（例えば１８０度だけ）周期信号であっても良い。
【００３４】
手段１３０は、多くの方法で具体化しても良い。例えば、手段１３０は、第１の光Ｌ１及び第２の光Ｌ２をシステム１００の出力へと交互に導く機械的な可動部として具体化しても良い。あるいは、手段は、出力における第１の光Ｌ１及び第２の光Ｌ２の量を変更する。手段は、ミラー又は屈折素子などの１つ以上の光学コンポーネントを含んでも良い。例えば、光学コンポーネントは、回転可能なミラー、デジタルミラー、又は音響光学コンポーネントであっても良い。
【００３５】
上記で示したように、幾つかの実施形態において、第１の光及び第２の光は、単一の広帯域光源をフィルタリングすることによって形成される。かかる実施形態において、第１の光出力装置は、広帯域光源及び第１のフィルタを含み、第２の光出力装置は、広帯域光源を含み、広帯域光源は、第２のフィルタによってフィルタリングされなくても良く、又はフィルタリングされても良い。
【００３６】
かかる実施形態において、単一の広帯域源からの光を交互にフィルタリングすることによって、上記で説明したように第１の光及び第２の光を形成することが可能であることが理解されよう。幾つかのかかる実施形態において、光出力を時間的に変調するための手段が、第１の光出力装置及び第２の光出力装置の一部である第１のフィルタ及び任意選択の第２のフィルタをそれぞれ交互に配置するための電気機械コンポーネント（即ち、光学コンポーネントではない）からなることがまた理解されよう。例えば、第１のフィルタ及び第２のフィルタは、光源からの光が第１のフィルタ及び第２のフィルタによって交互にフィルタリングされるようにするフィルタホイールに配置しても良い。
【００３７】
異なるフィルタリング特性を提供するために、フィルタ材料が電気的に変更可能か又は他の刺激によって変更可能である、他のかかる実施形態において、光出力を時間的に変調するための手段１３０は、第１のフィルタ及び第２のフィルタを交互に提供するか又はイネーブルにするための電気的又は他の非機械的コンポーネントからなる。上記で示したように、第１のフィルタ及び第２のフィルタは、それぞれ、第１の光出力装置及び第２の光出力装置の一部である。
【００３８】
更に他のかかる実施形態において、第１の光及び第２の光をそれぞれ供給する２つの光源が、それぞれフィルタリングを用いて又はフィルタリングなしに変調される。システム１００の光出力を時間的に変調するための手段は、第１の光源及び第２の光源を変調する（例えば交互に作動させる）ための電気装置からなる。任意の所与の実施形態において、手段１３０は、１つ以上の光学、機械、電気、又は他のコンポーネントを含んでも良い。
【００３９】
第１の光Ｌ１又は第２の光Ｌ２のいずれによって照明された場合でも、第１の物質Ｓ１が同じ色を有するように見えるまで、第１の光Ｌ１及び第２の光Ｌ２の波長成分は、第１の物質Ｓ１を観察し且つ成分を調整しながら、光Ｌ１及び／又はＬ２のスペクトルを増加させるか又は減じることによって実験的に選択され得る。もちろん、第１の光及び第２の光のスペクトルが、互いに異ならなければならないことが理解されよう。更に、第２の物質Ｓ２は、第２の物質が第１の光Ｌ１又は第２の光Ｌ２によって照明されるかどうかに依存して、異なる色を有するように見えなければならない。物質Ｓ１及びＳ２の組成が異なるならば、第１の物質を照明するためにどちらの光が使用されるかどうかにかかわらず第１の物質Ｓ１が同じ色を有すると見えるように第１の光Ｌ１及び第２の光Ｌ２のスペクトル成分を選択した後で、ほとんどの場合に、第２の物質が第１の光Ｌ１又は第２の光Ｌ２によって照明されるかどうかに依存して、第２の物質Ｓ２が異なる色を有するように見えるはずであるということは、些細な事柄であるということがまた理解されよう。
【００４０】
あるいは、第１の光Ｌ１及び第２の光Ｌ２の波長成分は、計算するか、又は実験的選択の出発点を実現するために計算することができる。計算は、Ｍｅａｓｕｒｉｎｇ  Ｃｏｌｏｕｒ，ｂｙ  Ｄｒ．Ｒ．Ｗ．Ｇ．Ｈｕｎｔ，Ｔｈｉｒｄ  Ｅｄｉｔｉｏｎ，Ｆｏｕｎｔａｉｎ  Ｐｒｅｓｓ，ＩＳＢＮ  ０  ８６３４３  ３８７  １に説明されている技術などの従来的な色再現技術を用いて達成することができ、その文献の内容は、参照によって援用される。例えば、物質から散乱される場合に第１の光Ｌ１及び第２の光Ｌ２用の光出力を決定する計算が、典型的には、第１の結果を達成するために、物質用の反射率曲線（例えば網膜組織の反射率曲線）に光Ｌ１のスペクトルを掛けることと、第２の結果を達成するために、物質用の反射率曲線に光Ｌ２のスペクトルを掛けることと、を含むことが理解されよう。次に、利得が、第１及び第２の出力用に同じ又は類似の光振幅を達成することを促進するために、結果の１つ又は両方用に選択されても良い。物質がＬ１及びＬ２によって交互に照明されるときに、物質がシステムのユーザによって見られる場合に、（反射色に加えて）光振幅が光強度においてかなりのフリッカを引き起こさないように、利得が典型的には選択されることが理解されよう。利得が適用された後で、結果としてのスペクトルは、等色関数を掛けられ、正規化されても良い。
【００４１】
物質Ｓ１、Ｓ２は、生物学的又は非生物学的であっても良い。生物学的物質は、人間のもの又は人間以外のものであっても良い。生物学的物質は、人体の任意の内部又は外部部分によるものであっても良い。例えば、生物学的物質は、眼の物質であっても良い。例えば、第１の物質は、網膜組織であっても良く、第２の物質は、硝子体液であっても良い。生物学的物質のいずれも、組織又は非組織であっても良い。
【００４２】
第１の光出力装置１１０及び第２の光出力装置１２０は、第１の物質Ｓ１及び／又は第２の物質Ｓ２を直接照明しても良く、又は光ファイバなどの１つ以上の光学素子を通して伝達されても良い。
【００４３】
図１Ｂ及び１Ｃは、光Ｌ１及び光Ｌ２の変調を示す周期光振幅信号の図的表現である。グラフは、時間の関数として光振幅（例えば強度）を示す。図１Ｂにおいて、光Ｌ１及び光Ｌ２の信号は、光Ｌ１及び光Ｌ２がシステム１００の出力において交互に供給される矩形波である。即ち、光Ｌ１及び光Ｌ２のそれぞれは、完全にオン且つ完全にオフであり、信号は、互いに位相がずれている（例えば、１８０度位相がずれている）。図１Ｃにおいて、システム出力における光量が変更される。しかしながら、光Ｌ１及び光Ｌ２のどちらも、図示の期間ｔにわたって完全にはオフではない。かかる構成において、フリッカ量を、やはり眼に見えるが不快ではない量に設定できることが理解されよう。非矩形波信号（例えば正弦波）が、ユーザによって観察されるフリッカ量を制御するために使用され得ることがまた理解されよう。
【００４４】
図２は、本発明の態様による、物質を照明するための照明システムにおける実施形態例の概略図である。図示の実施形態において、第１の光出力装置２２０ａが、広帯域光源２１０及びフィルタ２４０ａを含み、第２の光出力装置２２０ｂが、広帯域光源２１０及びフィルタ２４０ｂを含む。図示のように、装置２２０ａ及び２２０ｂは、１つ以上のコリメート光学系２３０ａ及び２３０ｂ、並びに１つ以上の操作光学系（例えば、ミラー２５０）を含んでも良い。光出力を時間的に変調するための手段２２５が、出力装置２２０ａからの光及び出力装置２２０ｂからの光を出力経路Ｏに選択的に導くためのデジタルミラー２６０及び適切な制御部２６２を含む。任意選択的に、出力経路は、光ファイバ２８０、及び光を物質に送るための対応する合焦光学系２７０を含んでも良い。例えば、光ファイバは、光が、人体内部に、例えば眼に送られることになる場合に、望ましくなり得る。図３は、システム１００からの光出力において、第１の光Ｌ１及びでの第２の光Ｌ２の量を時間的に変調するための手段３２５の例を示す。手段３２５は、駆動機構３１２によって軸Ａを中心に回転可能な従来の平面ミラー３１０を含む。手段３２５は、図２のシステムにおける手段２２５に取って代わり、且つ出力装置２２０ａからの光及び出力装置２２０ｂからの光を出力経路Ｏに選択的に導くことができる。
【００４５】
図４は、本発明の態様による、光出力装置４２０ａ、４２０ｂ、及び物質を照明するための照明システムにおいて使用する光出力を時間的に変調するための手段４２５の例を示す概略図である。図示の実施形態において、第１の光出力装置４２０ａは、第１の光を発生するための第１の広帯域光源４２２ａ及び第１のフィルタ４２４ａを含む。第２の光出力装置４２０ｂは、第２の光を発生するための第２の広帯域光源４２２ｂ及び第２のフィルタ４２４ｂを含む。光出力Ｏを時間的に変調するための手段４２５は、不透明なシャッタ４２６と、シャッタが、光出力装置４２０ａ、４２０ｂの１つからの光を交互にブロックし、且つもう一方の光出力装置４２０ａ及び４２０ｂからの光が出力Ｏに入ることができるようにする第１の位置Ｘ及び第２の位置Ｘ’間でシャッタを移動させるためのドライバ４２８と、を含む。幾つかの実施形態において、図１Ｂ又は１Ｃに示されているような光Ｌ１及びＬ２の信号を実現するために、シャッタ４２６は、完全な不透明に満たなくても良く、又はシャッタ４２６は、位置Ｘにある場合に、装置４２０ａからの光を完全にはブロックしないように、且つ位置Ｘ’にある場合に、装置４２０ｂからの光を完全にはブロックしないように構成されても良い。
【００４６】
図５は、本発明の態様による、光出力装置５２０ａ、５２０ｂ、及び物質を照明するための照明システムにおいて使用する光出力を時間的に変調するための手段５２５における例の概略図である。図示の実施形態において、第１の光出力装置５２０ａは、第１の光を発生するための広帯域光源５２２及び第１のフィルタ５２４ａを含み、第２の光出力装置５２０ｂは、第２の光を発生するための広帯域光源５２２及び第２のフィルタ５２４ｂを含む。光出力Ｏを時間的に変調するための手段５２５は、第１のフィルタ５２４ａ及び第２のフィルタ５２４ｂを光源５２２の前方に交互に配置するための回転可能な構造と、光源５２２からの光が、出力Ｏに入る前に、第１のフィルタ５２４ａ及び第２のフィルタ５２４ｂによって交互にフィルタリングされるように構造を回転させるためのドライバ５２８と、を含む。出力Ｏは、光を物質に送るための１つ以上の光学系（例えば、光ファイバ、操作光学系、又は合焦光学系）を含んでも良い。
【００４７】
図６は、本発明の態様による、光出力装置６２０ａ、６２０ｂ）、並びに物質を照明するための照明システムにおいて使用する光出力Ｏにおける第１の光Ｌ１及び第２の光Ｌ２の量を時間的に変調するための手段６２５における例の概略図である。図示の実施形態において、多色光Ｌ１を生成するための第１の光出力装置６２０ａは、第１の光Ｌ１を発生するための第１の複数の単色光源６２２ａ１−ｎを含む。多色光Ｌ２を生成するための第２の光出力装置６２０ｂは、第２の光Ｌ２を発生するための第２の複数の単色光源６２２ｂ１−ｎを含む。例えば、光源６２２ａ及び／又は光源６２２ｂは、２つ以上のＬＥＤを含んでも良い。光出力における第１の光Ｌ１及び第２の光Ｌ２の量を変調するための手段６２５は、装置６２０ａ及び装置６２０ｂを変調するための電子ドライバを含む。装置６２０ａ及び６２０ｂは、１つ以上のフィルタを含んでも良い。出力Ｏは、光を物質に送るための１つ以上の光学系（例えば、光ファイバ、操作光学系、又は合焦光学系）を含んでも良い。
【００４８】
このように本発明の概念及び多くの例示的な実施形態を説明したが、本発明が、様々な方法で実現され得ること、並びに修正形態及び改善形態が容易に当業者により想起されるであろうことが、当業者には明白であろう。従って、実施形態は、限定的であるようには意図されず、単に例として提示される。本発明は、添付の特許請求の範囲及びその均等物によって要求されるようにのみ限定される。
【図１Ａ】
2014519154.tif 000003
【図１Ｂ】
2014519154.tif 000004
【図１Ｃ】
2014519154.tif 000005
【図２】
2014519154.tif 000006
【図３】
2014519154.tif 000007
【図４】
2014519154.tif 000008
【図５】
2014519154.tif 000009
【図６】
2014519154.tif 000010
【国際調査報告】
2014519154.tif 000011
2014519154.tif 000012
2014519154.tif 000013